(57)【要約】【課題】袋が立体構造と自立性を備え、嵩張る内容物でもコンパクトに包装でき、包装材料の使用量も少なく経済性にも優れ、更に開封時には、鋏などを必要とせず、袋の上部を大きく且つ容易に開封できる自立性袋を提供する。【解決手段】自立性袋１００  を、積層フィルム１  を用いて、上下にガセット部３ａ，３ｂ  有し、両側部が側部シール部６ａ，６ｂ  でヒートシールされる形態で形成し、上部のガセット部３ａの前後のひだ状部４ａ，４ｂ  のうち、少なくとも一方（前側）のひだ状部４ａの積層フィルム１  の内面にカットテープ７  を熱接着して構成する。尚、カットテープ７  には、その端部近傍のヒートシール領域内にスポット状の非シール部８  を設け、その部分にカットテープ７  とその外側の積層フィルム１  を切断する横Ｕ字状の切り目線９  を設けてつまみ部１０を設けることが好ましい。【選択図】        図１
2004168367.tif 000002
【特許請求の範囲】
【請求項１】
袋の上部と下部が、袋の積層フィルムを内側に折り返してなるガセット部を有する形式で形成され、胴部が、前後の積層フィルムの両側の端縁部を側部シール部でヒートシールして形成される袋であって、上部のガセット部の前後のひだ状部のうち、少なくとも一方のひだ状部の積層フィルムの内面に、袋の開封を容易にするためのカットテープが熱接着されていることを特徴とする自立性袋。
【請求項２】
前記ひだ状部の積層フィルムの内面に熱接着されたカットテープの少なくとも一方の端部近傍のヒートシール領域内にスポット状の非シール部が設けられると共に、該非シール部に、カットテープとその外側の積層フィルムを切断するように横向きＵ字状の切り目線が設けられ、カットテープの端部につまみ部が設けられていることを特徴とする請求項１記載の自立性袋。
【請求項３】
前記上部と下部のガセット部の前後のひだ状部のそれぞれの外側端縁部が所定幅でヒートシールされていることを特徴とする請求項１または２に記載の自立性袋。
【請求項４】
前記下部のガセット部が、内側の中央部が低く両側端部に向かって高くなる船底形のシールパターンでヒートシールされていることを特徴とする請求項１乃至３のいずれかに記載の自立性袋。
【発明の詳細な説明】
【０００１】
【発明の属する技術分野】
本発明は、自立性袋に関し、更に詳しくは、袋の上部と下部をガセット形式で形成し、底部に自立性を付与すると共に、袋が全体として筒状の立体構造を有し、内容物が嵩張るものであってもコンパクトに包装することができ、更に、内容物を取り出す際にも、袋の上部を容易に開封できるようにした自立性袋に関する。
【０００２】
【従来の技術】
従来、袋の上部と下部をガセット形式で形成し、袋に自立性と共に安定した立体形状を持たせた自立性袋は、主に、プラスチックボトル、ガラス瓶、金属缶などの代替え容器として、液体、ペーストなどの液状物や、粉体、顆粒状物など流動性を有する内容物向けに使用されてきた。
しかし、上記のような自立性袋は、上部もガセット部による立体構造を有することから、通常の平袋のように袋の上端部近傍にノッチを設けて開封することが、製造上、また袋の構造上からも難しく、特に、内容物が液状物の場合は、取り出し口を狭い幅に形成する必要もあり、例えば、上部のガセット部の一方のひだ状部のフィルムを延長して狭い幅の注出口部を設ける方法、或いは、プラスチックの成形体による注出口を上部のガセット部の一方のひだ状部の上端に取り付けるなどの方法が採られていた。そのために、袋の製造工程、或いは、フィルムの使用量が増すなど、コスト面でも高価になるという欠点があった。
【０００３】
前記のような袋の上部と下部にガセット部を設けて筒状の立体構造を持たせた自立性袋の上部を容易に開封できるようにした自立性袋として、例えば、上部のガセット部の一方のひだ状部の両側のフィルムを延長して把持部を設けると共に、その基部に剥離性（イージーピール性）のシール部を設けて易開封性を付与した自立性袋が提案されている（例えば、特許文献１参照。）。
また、上部のガセット部の一方のひだ状部のフィルムを下方に延長して、壁面フィルムの上部の外側、または内側に重ね、その重なり合い領域の上部、または下部に、剥離性（イージーピール性）のシール部を設けて袋の上部に易開封性を付与すると共に、把持部を設けた自立性袋が提案されている（例えば、特許文献２参照。）。
【０００４】
【特許文献１】
国際公開第００／５８１６６号パンフレット（第６〜１０頁、第１図〜第６図）
【特許文献２】
国際公開第００／５８１７４号パンフレット（第６〜１３頁、第１図〜第６図）
【０００５】
しかしながら、前記のような自立性袋でも、袋の上部に開封用の把持部を設け、また、強シール部と剥離性シール部とを区分して設ける必要があるため、袋のフィルム構成が複雑になり、また、把持部を設けるフィルムが余分に必要となるなど、製造コストを上昇させる問題があり、更に、剥離性シール部の剥離強度が不安定になりやすい問題もあり、必ずしも満足できるものではなかった。
【０００６】
【発明が解決しようとする課題】
本発明は、上記のような問題点を解消するためになされたものであり、その目的とするところは、袋が筒状の立体構造を有し、自立性に優れると共に、嵩張る内容物でもコンパクトに包装することができ、また、包装材料の使用量も少なくすることができて経済性にも優れ、更に、内容物を取り出す際には、袋の上部を大きく、且つ容易に開封できるようにした自立性袋を生産性よく提供することにある。
【０００７】
【課題を解決するための手段】
上記の課題は、以下の本発明により解決することができる。
即ち、請求項１に記載した発明は、袋の上部と下部が、袋の積層フィルムを内側に折り返してなるガセット部を有する形式で形成され、胴部が、前後の積層フィルムの両側の端縁部を側部シール部でヒートシールして形成される袋であって、上部のガセット部の前後のひだ状部のうち、少なくとも一方のひだ状部の積層フィルムの内面に、袋の開封を容易にするためのカットテープが熱接着されていることを特徴とする自立性袋からなる。
【０００８】
このような構成を採ることにより、例えば、袋の一方の側部を内容物の充填口として開口させ、その開口部から容易に内容物を充填し、ヒートシールして密封することができる。
内容物が充填された袋は、上下のガセット部により胴部が筒状に広がると共に、上部と下部にフラットな天面と底面が形成されるので、自立性が付与され、また、容量の割にコンパクトに包装することができ、袋の積み重ねも可能であり、物流費の削減、および店頭での陳列効果の向上や陳列スペースの削減も可能となる。
【０００９】
そして、内容物を取り出す際には、袋の上部のガセット部の一方のひだ状部の積層フィルムの内面に熱接着されたカットテープを、その端部をつまんで外側に引っ張るだけで、鋏みなどの道具を使用することなく、容易にカットテープに沿って袋の上部の積層フィルムを切り取って開封することができる。
従って、製造コストの面でも、カットテープを追加するだけで、袋の積層フィルムを余分に使用する必要がなく、また、剥離性（イージーピール性）のシール部を設ける必要もないため、一層低コストで安定した易開封性の自立性袋を容易に製造することができる。
【００１０】
請求項２に記載した発明は、前記ひだ状部の積層フィルムの内面に熱接着されたカットテープの少なくとも一方の端部近傍のヒートシール領域内にスポット状の非シール部が設けられると共に、該非シール部に、カットテープとその外側の積層フィルムを切断するように横向きＵ字状の切り目線が設けられ、カットテープの端部につまみ部が設けられていることを特徴とする請求項１記載の自立性袋からなる。
【００１１】
上記カットテープの端部につまみ部を設ける方法は、例えば、積層フィルムの内面に熱接着されたカットテープを、袋の側部で外側の積層フィルムと共に横向きのＵ字状に切断する際、Ｕ字状の一部が袋の側部から突出するように切断し、且つ、その突出部の内側近傍に非シール部を設ける方法でつまみ部を設けることもできる。只、この方法の場合、カットテープの熱接着位置がガセット部であるため、切断自体が難しく、また、カットテープの端部を袋の側部から突出させると、開封時以外に誤って積層フィルムが引き裂かれるおそれもあるため好ましくない。
【００１２】
従って、前記のような構成を採ることにより、請求項１に記載した発明の作用効果に加えて、カットテープのつまみ部が、袋の外周よりも内側に形成されるので、開封時以外に誤って積層フィルムが引き裂かれるおそれがなく、また、袋の外周から突出して袋の外観が損なわれることもなく、且つ、袋の開封時には、カットテープの端部に、非シール部によりフリーとなるつまみ部が設けられているので、この部分をつまみ易く、一層容易に袋を開封することができる。
【００１３】
請求項３に記載した発明は、前記上部と下部のガセット部の前後のひだ状部のそれぞれの外側端縁部が所定幅でヒートシールされていることを特徴とする請求項１または２に記載の自立性袋からなる。
【００１４】
このような構成を採ることにより、請求項１または２に記載した発明の作用効果に加えて、袋の上部と下部のガセット部の前後のひだ状部のそれぞれの外側端縁部が、そのヒートシール部により補強され、補強シール部としてリブ効果を持つようになるので、内容物充填後の袋の筒形状が安定して保たれるようになり、外観を向上させることができる。
また、下部のガセット部、即ち、袋の底部においては、そのヒートシール部が脚部として作用するので袋の自立性も向上させることができる。
【００１５】
請求項４に記載した発明は、前記下部のガセット部が、内側の中央部が低く両側端部に向かって高くなる船底形のシールパターンでヒートシールされていることを特徴とする請求項１乃至３のいずれかに記載の自立性袋からなる。
【００１６】
上記下部のガセット部をヒートシールする船底形のシールパターンは、内側の中央部が低く両側端部に向かって高くなる形状であれば、特に限定はされないが、特に好ましい形状として、内側が円弧状などの湾曲線で形成される船底形のシールパターン、或いは、内側が所定幅の底部から両側が外側に傾斜を持って直線状に立ち上がる形状の船底形のシールパターンを挙げることができる。
【００１７】
このような構成を採ることにより、請求項１乃至３のいずれかに記載した発明の作用効果に加えて、内容物を充填した袋は、その底部が、前記船底形のシールパターンに応じて、例えば、内側が湾曲線で形成される船底形のシールパターンの場合は楕円形状に、また、内側が所定幅の底部から両側が外側に傾斜を持って直線状に立ち上がる形状の船底形のシールパターンの場合は六角形状に広がり、いずれも中央部が前後に大きく広げられ、また、底面の外周にはヒートシール部による脚部が形成されるため、袋の自立性を一層向上させることができる。
【００１８】
【発明の実施の形態】
以下に、本発明の自立性袋に用いる積層フィルム、および自立性袋の製造方法など発明の実施の形態について説明する。
先ず、本発明の自立性袋に用いる積層フィルムは、主にプラスチックを主体とする積層フィルムを用いるが、特に限定はされず、ヒートシールにより製袋可能な積層フィルムであれば、いずれも使用することができ、包装する内容物の種類や、内容物充填後の加熱処理の有無など、使用条件に応じて適する材料を自由に選択して使用することができる。
【００１９】
尚、上部と下部のガセット部の前後のひだ状部の両側端縁部を、袋の側部と同様にヒートシールして固定したい場合は、通常のスタンディングパウチの底部と同様に、例えば、天面と底面の積層フィルムを別ピースとして、前後の壁面の積層フィルムの間に内側に折り返して供給する際、その両側端縁部に相当する位置にスポット状などの切り欠き部を設けておくことにより、前後のひだ状部をそれぞれ袋の側部シール部の延長線上でヒートシールして固定することができるが、別の方法として、袋の積層フィルムに両面がヒートシール性を有する積層フィルムを使用することにより、前記スポット状などの切り欠き部を設けることなく、且つ、１ピースの積層フィルムの両側を折り返して上下のガセット部を形成する場合でも、それぞれの前後のひだ状部の両側端縁部を容易にヒートシールして固定することができ、それにより、袋の形態安定性、外観を向上できると同時に、袋の自立性も一層向上させることができる。
【００２０】
前記両面がヒートシール性を有する積層フィルムの構成例として、例えば、以下のような構成が挙げられる。
（１）  （外側）ＨＳＯＰＰフィルム／接着剤／無機酸化物蒸着層・ＰＥＴフィルム・無機酸化物蒸着層／接着剤／ＬＬＤＰＥフィルム
（２）  （外側）ＨＳＯＰＰフィルム／接着剤／アルミニウム蒸着層・ＰＥＴフィルム／接着剤／ＬＬＤＰＥフィルム
（３）  （外側）ＨＳＯＰＰフィルム／ＬＤＰＥ層／純白ロール紙／ＬＤＰＥ層
上記構成において、ＨＳＯＰＰフィルムは、ヒートシール性を有する二軸延伸ポリプロピレンフィルムを示し、例えば、商品名  太閤ＦＯ、品種  ＦＯＨ〔二村化学工業（株）製  片面ヒートシール性二軸延伸ポリプロピレンフィルム〕などを、そのヒートシール性面を外側に向けて貼り合わせて使用することができる。また、ＰＥＴフィルムは二軸延伸ポリエチレンテレフタレートフィルム、ＬＬＤＰＥは線状（または直鎖状）低密度ポリエチレン、ＬＤＰＥは低密度ポリエチレンを示すものである。
【００２１】
上記無機酸化物蒸着層とアルミニウム蒸着層は、ガスバリヤー性を付与するために設けたものであり、無機酸化物蒸着層は、具体的にはシリカ、アルミナ、酸化亜鉛、酸化錫、酸化マグネシウムなどの蒸着層を設けることができる。このような無機酸化物の蒸着層は、真空蒸着法、スパッタリング法、イオンプレーティング法などのＰＶＤ法、或いは、プラズマ化学気相成長法、熱化学気相成長法などのＣＶＤ法により基材フィルム上に形成することができ、その厚みは１００〜１０００Åの範囲が適当である。
このような無機酸化物の蒸着層は、透明性を維持しながらガスバリヤー性を付与できるものであり、単独の層で形成してもよく、また、複数の層で形成してもよい。複数の層で形成することにより、そのガスバリヤー性を一層向上させることができる。
【００２２】
前記のほか、最外層がヒートシール性のないタイプの積層フィルム、即ち、通常の最内層にシーラント層を積層した積層フィルムも良好に使用することができ、袋に充填する内容物の種類に応じて、適する構成の積層フィルムを適宜選択して使用することができる。
内容物がスナック食品などの場合は、例えば、以下（４）  〜（７）  に示すような構成の積層フィルムを使用することができる。
（４）  （外側）ＯＰＰフィルム／接着剤／ＣＰＰフィルム
（５）  （外側）ＯＰＰフィルム又はＰＥＴフィルム・アルミニウム又は無機酸化物の蒸着層／接着剤／ＣＰＰフィルム
（６）  （外側）ＯＰＰフィルム／ＬＤＰＥ層／アルミニウム又は無機酸化物の蒸着層・ＰＥＴフィルム／ＬＤＰＥ層／ＣＰＰフィルム
（７）  （外側）ＯＰＰフィルム又はＰＥＴフィルム／接着剤／アルミニウム箔／接着剤／ＣＰＰフィルム
上記構成において、最内層のＣＰＰフィルムは、無延伸ポリプロピレンフィルムであり、シーラント層として使用したものである。また、各層の間の接着剤は、この場合、その積層をドライラミネーション法で行うため、二液硬化型ポリウレタン系接着剤などのドライラミネーション用接着剤である。
また、（６）  の構成の積層フィルムは、その積層を押し出しラミネーション法（所謂サンドイッチラミネーション法）で行ったもので、ＬＤＰＥを接着剤の代わりに用いて、両側のフィルムの間にＬＤＰＥ層を膜状に溶融押し出して、圧着、冷却して積層したものである。
前記（４）  〜（７）  の積層フィルムの構成では、最内層のシーラント層に予め製膜されたＣＰＰフィルムを用い、これを基材の内面にドライラミネーション法または押し出しラミネーション法で貼り合わせた構成としたが、基材の内面にポリプロピレン（ＰＰ）を押し出しコートして、ＣＰＰ層（無延伸ポリプロピレン樹脂層）として積層することもできる。
【００２３】
また、内容物が比較的重量のあるものの場合は、例えば、以下（８）  〜（１８）に示すような構成の積層フィルムを使用することができる。
（８）  （外側）ＯＮフィルム／接着剤／ＬＬＤＰＥフィルム
（９）  （外側）ＯＮフィルム／接着剤／二軸延伸ＨＤＰＥフィルム／接着剤／ＬＬＤＰＥフィルム
（１０）（外側）ＯＮフィルム／接着剤／ＯＰＰフィルム／接着剤／ＬＬＤＰＥフィルム
（１１）（外側）ＯＮフィルム・アルミニウムまたは無機酸化物蒸着層／接着剤／二軸延伸ＨＤＰＥフィルム／接着剤／ＬＬＤＰＥフィルム
（１２）（外側）ＯＮフィルム／接着剤／ＯＰＰフィルム／接着剤／アルミニウム箔／接着剤／ＬＬＤＰＥフィルム
（１３）（外側）ＯＮフィルム／アンカーコート層／共押し出しコート層（ＨＤＰＥ層／ＬＬＤＰＥ層）（シーラント層は、ＬＬＤＰＥ層）
（１４）（外側）ＰＥＴフィルム・アルミニウムまたは無機酸化物蒸着層／接着剤／ＯＰＰフィルム／接着剤／ＬＬＤＰＥフィルム
（１５）（外側）ＰＥＴフィルム／接着剤／ＯＰＰフィルム／接着剤／アルミニウム箔／接着剤／ＬＬＤＰＥフィルム
（１６）（外側）ＰＥＴフィルム／接着剤／アルミニウム箔／接着剤／ＯＰＰフィルム／接着剤／ＬＬＤＰＥフィルム
（１７）（外側）ＰＥＴフィルム／接着剤／ＯＮフィルム／接着剤／アルミニウム箔／接着剤／ＬＬＤＰＥフィルム
（１８）（外側）ＰＥＴフィルム／接着剤／ＥＶＯＨフィルム／接着剤／ＯＮフィルム／接着剤／ＬＬＤＰＥフィルム
などが挙げられるが、これらに限定されるものではなく様々な組み合わせの積層フィルムを使用することができる。
【００２４】
上記の構成において、ＯＮフィルムは二軸延伸ナイロンフィルム、ＨＤＰＥは高密度ポリエチレン、ＥＶＯＨフィルムはエチレン−酢酸ビニル共重合体ケン化物フィルムを指すものである。
また、アンカーコート層は、押し出しコート法で樹脂を積層する際、接着性を向上させるために基材フィルム側に予めコーティングするものでプライマーコートの一種である。
【００２５】
前記積層フィルムの構成において、ＯＮフィルム、ＰＥＴフィルムは、最外層に用いる場合は、基材フィルムとして袋に機械的強度や耐熱性、印刷適性などを付与するために用いられ、中間層に用いる場合は、主に機械的強度を補強するために用いられる。
中間層に二軸延伸ＨＤＰＥフィルム、またはＯＰＰフィルムを用いた場合は、積層フィルムの厚さを増し、その剛性や機械的強度を高めると同時に、水蒸気透過度を小さくすることができる。
【００２６】
そして、アルミニウム箔、ＥＶＯＨフィルムなどは、前述のアルミニウムまたは無機酸化物の蒸着層と同様、主にガスバリヤー性を付与するために積層するものであり、これらのほか、ポリ塩化ビニリデンの塗膜層、或いは、ポリアクリロニトリルフィルムなどのガスバリヤー性材料を積層することもできる。
【００２７】
最内層のシーラント層としては、前記（１）  〜（１８）に示した積層フィルムの構成では、ＬＬＤＰＥ、ＬＤＰＥ、ＣＰＰの３種類の例を挙げたが、特にＬＬＤＰＥは、ヒートシールの安定性や耐内容物性、例えば界面活性剤に対する耐ストレスクラッキング性などに優れ、ＣＰＰは、耐熱性、低臭性、耐スクラッチ性に優れており、これらの性能を必要とする内容物の包装用に適している。
【００２８】
シーラント層には上記のほか、充填される内容物に応じて、エチレン・αオレフィン共重合体、エチレン・酢酸ビニル共重合体、エチレン・アクリル酸共重合体、エチレン・アクリル酸エステル共重合体、アイオノマー、ポリエステル系樹脂なども適宜選択して使用することができる。
【００２９】
特に、エチレン・αオレフィン共重合体でメタロセン系触媒などシングルサイト触媒を用いて重合したものは、分子量分布の幅が狭く、共重合比も安定しているため、低温ヒートシール性や、熱間シール性に優れており、本発明の自立性袋のように、上下のガセット部と胴部のシール部との間など、ヒートシール部にフィルムの重なりの差による段差のある袋のシーラント層には、シール抜けによるピンホールの発生を防止できる点で適している。
更に、前記共重合体にオレフィン系エラストマーをブレンドしたものを用いることにより、シーラント層の熱流動性が改善され、前記段差などによるピンホールの発生を一層効果的に防止することができる。
【００３０】
尚、本発明の自立性袋に充填される内容物は、固形物のほか、粒状、粉状などの食品、或いは、非食品など何でもよいが、例えば、食用油など酸化され易い内容物が含まれる場合は、前記積層フィルムのいずれかの一層、または複数の層に紫外線吸収剤を練り込むことができる。また、紫外線吸収剤を樹脂と混合し、コーティング方式で紫外線吸収層を設けてもよい。
紫外線吸収剤としては、以下から選択される一種または二種以上の化合物を使用することができる。
有機系では、ベンゾフェノン系、ベンゾアリゾール系、サリチル酸系、有機ニッケル系、アクリロニトリル系、モノ安息香酸系、シュウ酸アニリド系、シアノアクリレート系、トリアゾ系の紫外線吸収剤、また、無機系では、チタン、亜鉛、セリウムなどの各元素の酸化物を使用することができる。
【００３１】
また、本発明の自立性袋に取り付けるカットテープは、前記のような積層フィルムの内面、即ち、シーラント層面に熱接着して取り付けるものであり、引っ張り強度などの機械的強度に優れると共に、熱接着の際などの耐熱性および積層フィルムのシーラント層に対する熱接着性が必要である。
従って、機械的強度と耐熱性に優れた二軸延伸ポリエチレンテレフタレートフィルムや二軸延伸ナイロンフィルムなどを基材とし、その両方の面、または片方の面に袋の積層フィルムのシーラント層に対応する熱接着性樹脂層を設けた積層フィルムで作製することが好ましい。カットテープの厚みは、特に限定はされないが、１２〜５０μｍの範囲が適当である。
【００３２】
次に、以上のような積層フィルムとカットテープを用いて製造する本発明の自立性袋の製造方法について説明する。
本発明の自立性袋は、袋の上下にガセット部を設けていることから、その製袋は横流し方式、即ち、袋が横につながった形式で製袋することが好ましく、大別して二つの方法で製袋することができる。
一つは、ガセット袋の製袋機、または縦ピロー包装機を利用して、ロール状の１ピースの積層フィルムから製袋する方法であり、縦ピロー包装機を利用する場合は、これに両側のガセット部を設ける折り込み装置、もしくは角型のフォーマーを取り付け、更に、両側のガセット部の前後のひだ状部の先端部に補強シール部を設ける場合は、そのヒートシール装置を付加し、また、下部のガセット部を船底形のシールパターンでヒートシールする場合は、この部分に船底形のヒートシール装置を付加すると共に、袋の積層フィルムの流れ方向に沿って、上部のガセット部の一方のひだ状部の内面にカットテープを熱接着する熱接着装置、およびカットテープの袋の端部近傍に切り目線を設けて、つまみ部を形成するための打ち抜き装置などを付加することにより、容易に製袋することができる。
特に、上記のような縦ピロー包装機を使用した場合は、製袋とインラインで内容物の充填、シールを行うことができ、製袋、包装の作業を効率化することができる。
【００３３】
もう一つの方法は、スタンディングパウチの製袋機を利用して、例えば、前後の壁面と上下のガセット部の折り込み部の積層フィルムが、それぞれ分割された４ピースの積層フィルムから製袋する方法であり、例えば、二列突き合わせ製袋用の製袋機を一列製袋に用いて、その両側の底部形成セクションを利用して上下のガセット部を形成するものである。
この場合は、袋の上部のガセット部をヒートシールするシールパターンを、上部の端縁部を所定幅でヒートシールする補強シール部用のシールパターンに変更すると共に、袋の積層フィルムの流れ方向に沿って、上部のガセット部の一方のひだ状部の例えば壁面フィルムの内面にカットテープを熱接着する熱接着装置、およびカットテープの袋の端部近傍に切り目線を設けて、つまみ部を形成するための打ち抜き装置などを付加することにより、容易に製袋することができる。
この方法によれば、前後の壁面と上下のガセット部の折り込み部、即ち、天面と底面の積層フィルムがそれぞれ別ピースとなっているので、例えば、天面と底面の積層フィルムを多少薄めで柔軟性を有する構成に変えて、製袋の加工性とヒートシール適性の向上、およびコストメリットを得ることができる。
【００３４】
【実施例】
以下に、図面を用いて本発明を更に具体的に説明する。但し、本発明は、その要旨を超えない限り、以下の図面に限定されるものではない。
また、図面に付した符号は、異なる図面においても、同じ名称の部分には同じ符号を用いた。
図１、図２、図３は、それぞれ本発明の自立性袋の一実施例の構成を示す図であり、各図において、（イ）は自立性袋の模式正面図で、（ロ）は（イ）に示した自立性袋のＡ−Ａ線における模式断面図である。
【００３５】
図１の（イ）は、本発明の自立性袋の第１の実施例の構成を示す模式正面図であり、（ロ）は、（イ）に示した自立性袋のＡ−Ａ線における模式断面図である。
図１に示した自立性袋１００は、積層フィルム１の上下両側をそれぞれ内側に積層フィルム折り返し部２ａ  、２ｂ  まで折り返して、上下にガセット部３ａ  ３ｂ  を設けると共に、折り返された積層フィルム１の両側の端縁部同士を合掌貼り形式で重ね合わせ、背面シール部５でヒートシールして左右の側部が開口する筒状体が形成される。この時、上部のガセット部３ａ  の前後のひだ状部４ａ  、４ｂ  のうち、前側のひだ状部４ａ  の積層フィルム１の内面には、袋１００の上辺に沿ってカットテープ７が熱接着され、そのカットテープ７の一方の端部近傍（図において左側の端部近傍）に、カットテープ７につまみ部１０を設けるための横向きＵ字状の切り目線９が、カットテープ７とその外側の積層フィルム１を切断するように設けられており、また、袋１００の左右の側部は、上下のガセット部３ａ  、３ｂ  の左右の端縁部のヒートシール部と連続するように、側部シール部６ａ  、６ｂ  でヒートシールして封止されるが、この場合、図において左側の側部シール部６ａ  は、内容物の充填前にヒートシールし、その上部のガセット部３ａ  の左側端縁部のヒートシール部においては、少なくとも前側のひだ状部４ａ  のヒートシール領域内にスポット状の非シール部８を設け、その非シール部８内に前記カットテープ７のつまみ部１０を設けるための切り目線９が位置するように形成して構成したものである。
尚、袋１００の右側の側部は内容物の充填口に使用するため、側部全体を未シールの開口部としてもよいが、少なくとも上下のガセット部３ａ  、３ｂ  の右側の端縁部を除く部分は、内容物の充填前は未シールの開口部とし、内容物の充填後に側部シール部６ｂ  でヒートシールして密封することができる。
また、図１に示した自立性袋１００では、背面シール部５が袋１００の背面の中間部よりやや下寄りの位置に設けられた形状で示したが、背面シール部５の位置は、特に限定されるものではなく、内容物充填の際、吸引開口の邪魔にならず、また、袋１００の形状、外観をよくするためには、例えば、上部のガセット部３ａ  の後ろ側のひだ状部の上辺部などに移動して設けることもできる。
【００３６】
このような構成を採ることにより、内容物の充填は、袋１００の側部の開口部から容易に充填し、充填後ヒートシールして密封することができる。
内容物が充填シールされた袋１００は、上下のガセット部３ａ  、３ｂ  により、胴部が前後に筒状に広がると共に、上部と下部にフラットな天面と底面が形成されるので、外観もよく、自立性が付与されると共に、袋の積み重ねも可能であり、また、容量の割にコンパクトに包装することができ、物流費の削減、および店頭での陳列効果の向上や陳列スペースの削減も可能となる。
【００３７】
そして、充填された内容物を取り出す際には、袋１００の上部のガセット部３ａ  の前側のひだ状部４ａ  の前面の積層フィルム１の内面に、その上辺に沿ってカットテープ７が熱接着されると共に、その端部につまみ部１０が設けられているので、そのつまみ部１０をつまんで外側に引っ張るだけで、鋏などの道具を使用することなく、容易にカットテープ７に沿って袋１００の上部の積層フィルム１を切り取って大きく開封することができる。
【００３８】
また、このような自立性袋１００は、使用材料についてもカットテープ７を追加するだけで、袋の積層フィルム１を余分に使用する必要がなく、また、剥離性（イージーピール性）などのシール部を設ける必要もないため、一層低コストで安定した易開封性の自立性袋を容易に製造することができる。
【００３９】
図２の（イ）は、本発明の自立性袋の第２の実施例の構成を示す模式正面図であり、（ロ）は、（イ）に示した自立性袋のＡ−Ａ線における模式断面図である。
図２に示した自立性袋２００は、前記図１に示した自立性袋１００の構成において、袋の背面側の中間部よりやや下寄りの位置に設けた背面シール部５の位置を、袋２００の背面の上端部または下端部に移すと共に、その背面シール部を含む上下のガセット部３ａ  、３ｂ  の前後のひだ状部４ａ  、４ｂ  、４ｃ  、４ｄ  の外側端縁部を、それぞれ所定幅の補強シール部１１ａ  、１１ｂ  、１１ｃ  、１１ｄ  でヒートシールして構成したものであり、上記の変更点以外は、全て図１に示した自立性袋１００と同様に形成して構成したものである。
【００４０】
このような構成を採ることにより、自立性袋２００は、その上部と下部のガセット部３ａ  、３ｂ  の前後のひだ状部４ａ  、４ｂ  、４ｃ  、４ｄ  の外側端縁部が、それぞれ所定幅の補強シール部１１ａ  、１１ｂ  、１１ｃ  、１１ｄ  でヒートシールされているので、この部分がリブ効果をもち、上下四隅の保形性が向上し、袋２００の形態が安定化されると共に、袋２００の下部においては、底部の外周にヒートシール部による脚部が形成されるため、袋２００の自立性が向上される。
また、袋２００の背面シール部の位置が、背面の上端部または下端部に移され、前記補強シール部１１ｂ  または補強シール部１１ｄ  に吸収された形状となるため、実質的に背面シール部を無くした形状となり、袋２００の立体形状のバランスが損なわれることもなく外観も一層スマートにすることができる。
このような構成の自立性袋２００は、上下の四隅に補強シール部１１ａ  、１１ｂ  、１１ｃ  、１１ｄ  を設けていることから、前後の壁面と上下の天面または底面の積層フィルムを別々に供給して製袋することも可能であり、製袋方法の自由度が増し、一層容易に製造することができる。
そして、前記変更点以外については、図１に示した自立性袋１００と同じ構成であるため、前記図１に示した自立性袋１００で説明した作用効果と同様な作用効果を得ることができる。
【００４１】
次に、図３の（イ）は、本発明の自立性袋の第３の実施例の構成を示す模式正面図であり、（ロ）は、（イ）に示した自立性袋のＡ−Ａ線における模式断面図である。
図３に示した自立性袋３００は、前記図２に示した自立性袋２００の構成において、カットテープ７が熱接着された積層フィルム１の外面に、カットテープ７に沿ってその両側に、レーザー光照射などによるハーフカット線１４ａ  、１４ｂ  を設け、また、袋の下部のガセット部３ｂ  の内側に折り込まれた底面の積層フィルム１の両側の下端近傍に、半円形状の底面積層フィルム切り欠き部１２ａ  、１２ｂ  を設けると共に、下部のガセット部３ｂ  をヒートシールするシールパターンを、内側が円弧状の湾曲線で形成される船底形の底部シール部１３のシールパターンに変更してヒートシールしたものであり、その他の構成は、全て図２に示した自立性袋２００と同様に形成して構成したものである。
【００４２】
このような構成を採ることにより、自立性袋３００は、下部のガセット部３ｂ  の内側に折り込まれた底面の積層フィルム１の両側の下端近傍に前記底面積層フィルム切り欠き部１２ａ  、１２ｂ  が設けられ、且つ、下部のガセット部３ｂ  をヒートシールするシールパターンが、内側が円弧状の湾曲線で形成された船底形の底部シール部１３のシールパターンでヒートシールされているので、内容物が充填された自立性袋３００は、特に下部の形状が円柱状となり、外観が一層向上されると共に、下部のガセット部３ｂ  の前後のひだ状部４ｃ  、４ｄ  の両側端縁部が前記切り欠き部１２ａ  、１２ｂ  により熱接着されるので、袋３００の底部の外周にはヒートシール部によるリング状の脚部が形成され、袋３００の形態安定性と自立性を一層向上させることができる。
また、袋に充填された内容物を取り出す際には、カットテープ７が熱接着された積層フィルム１の外面に、カットテープ７に沿ってその両側に、レーザー光照射などによるハーフカット線１４ａ  、１４ｂ  が設けられているので、積層フィルム１の厚みが厚く、強度が強い場合でも、カットテープ７に沿って容易に袋３００を開封することができる。
尚、前記変更点以外については、前記図２に示した自立性袋２００と同様な構成であるため、前記自立性袋２００で説明した作用効果と同様な作用効果を得ることができる。
【００４３】
【発明の効果】
以上、詳しく説明したように、本発明によれば、内容物を密封包装する積層フィルム製の袋であって、袋が筒状の立体構造を有し、自立性に優れて取り扱いやすく、嵩張る内容物でもコンパクトに包装することができ、また、包装材料の使用量も少なくすることができ、経済性にも優れ、更に、内容物を取り出す際には、鋏などの道具を使用することなく、袋の上部を大きく且つ容易に開封することができるという使用適性にも優れた自立性袋を生産性よく提供できる効果を奏する。
【図面の簡単な説明】
【図１】（イ）は、本発明の自立性袋の第１の実施例の構成を示す模式正面図であり、（ロ）は、（イ）に示した自立性袋のＡ−Ａ線における模式断面図である。
【図２】（イ）は、本発明の自立性袋の第２の実施例の構成を示す模式正面図であり、（ロ）は、（イ）に示した自立性袋のＡ−Ａ線における模式断面図である。
【図３】（イ）は、本発明の自立性袋の第３の実施例の構成を示す模式正面図であり、（ロ）は、（イ）に示した自立性袋のＡ−Ａ線における模式断面図である。
【符号の説明】
１  積層フィルム
２ａ  、２ｂ    積層フィルム折り返し部
３ａ  、３ｂ    ガセット部
４ａ  、４ｂ  、４ｃ  、４ｄ    ひだ状部
５  背面シール部
６ａ  、６ｂ    側部シール部
７  カットテープ
８  スポット状の非シール部
９  切り目線
１０  つまみ部
１１ａ  、１１ｂ  、１１ｃ  、１１ｄ    補強シール部
１２ａ  、１２ｂ    底面積層フィルム切り欠き部
１３  船底形の底部シール部
１４ａ  、１４ｂ    ハーフカット線
１００、２００、３００  自立性袋
【図１】
2004168367.tif 000003
【図２】
2004168367.tif 000004
【図３】
2004168367.tif 000005